(57)【要約】  一端をラックに回動可能に軸支したレバーを設け、レバーの他端またはベースシャーシのいずれか一方に、光ピックアップの移送方向に対して略垂直方向に長溝を設置し、他方に、前記長溝に回動かつ摺動可能に係合され、前記光ピックアップが移送される際に、長溝に沿って摺動するように支点部材を設け、ラックとギア列の歯を当接させる付勢力をラックに与えるように、レバーの上記他端を支点とし、レバーの上記一端を作用点としてレバーを回転させる方向の付勢力を常時与えるコイルバネをベースシャーシの所定位置とレバーの中間位置間に掛け渡した。
2009031265.tif 000002
【特許請求の範囲】
【請求項１】
モータの回転をギア列とラックにより直線運動に換えて前記ラックと一体の光ピックアップをディスクの内周位置から外周位置へ移送する光ディスク装置において、
一端を前記ラックに回動可能に軸支したレバーを設け、
前記レバーの他端またはベースシャーシのいずれか一方に、前記光ピックアップの移送方向に対して略垂直方向に長溝を設置し、他方に、前記長溝に回動かつ摺動可能に係合され、前記光ピックアップが移送される際に、前記長溝に沿って摺動するように支点部材を設け、
前記ラックと前記ギア列の歯を当接させる付勢力を前記ラックに与えるように、前記レバーの他端を支点とし、前記レバーの一端を作用点として前記レバーを回転させる方向の付勢力を常時与えるコイルバネを、前記ベースシャーシの所定位置と前記レバーの中間位置間に掛け渡したことを特徴とする光ディスク装置。
【請求項２】
長溝は、直線的に延びる形状としたことを特徴とする請求項１記載の光ディスク装置。
【請求項３】
長溝は、湾曲して延びる形状としたことを特徴とする請求項１記載の光ディスク装置。
【発明の詳細な説明】
【技術分野】
【０００１】
この発明は、光ディスク装置、特に光ピックアップ送り機構に関するものである。
【背景技術】
【０００２】
光ピックアップ送り機構としては、リードスクリューを使用したもの、あるいはラックギア（以下、ラックとする）を使用したものが一般的である。ラックを使用した機構の場合は、ピックアップモータから光ピックアップまでギア列とラックで構成されているため、ギアのバックラッシュによるガタを取り除く必要がある。従来、ガタを取り除く方法として、コイルバネによって光ピックアップを内周方向に付勢させておく技術が用いられている（例えば特許文献１参照）。この方法の例を図４により説明する。【０００３】
図４において、紙面を再生部のベースシャーシとして、このベースシャーシにモータ駆動されるターンテーブル１０が組み立てられている。ターンテーブル１０の周りには、互いに平行なガイド部材１１，１２が配置され、光ピックアップ２がこれらのガイド部材１１，１２上を滑動して進行方向（矢印Ａ）に向かって直線運動するように配置されている。光ピックアップ２は、演奏時にはターンテーブル１０に装着されて回転するディスク２０の内周位置２ａから外周位置２ｃまで移動して、ディスク２０上の記録データを読み取る。光ピックアップ２の駆動は、ピックアップ駆動用のモータ（図示せず）の回転を、ピニオン４を含むギア列によって伝達、減速し、光ピックアップ２の側面部に固定されたラック６により直線運動に換えることによって行われる。ここで、ピニオン４を含むギア列とラック６のバックラッシュによるガタを取り除くため、コイルバネ８が設けられている。コイルバネ８は、その一端８ａがベースシャーシ上に固定され、他端８ｂが光ピックアップ２またはラック６に固定され、ラック６と平行（略平行を含む）となるように配置され、常時ラック６とギア列の歯を当接させるように付勢力を加えている。このことによって、ギア間にガタが発生するのを抑えている。【０００４】
【特許文献１】特開２００１−２９７５４４号公報
【０００５】
従来の光ピックアップの送り機構では、以上のようにしてラックとギア列のバックラッシュによるガタを取り除いているが、コイルバネが光ピックアップの移動方向と同じ方向に延びるため、光ピックアップの移動距離によるバネの伸びの変動量が、図４に示すようにｄ１からｄ２となるように大きくなる。ＭＤのように径が小さいディスクの場合には光ピックアップの移動距離が小さいからバネの伸びも小さいので問題無いが、ＣＤやＤＶＤのように径が大きいディスクの場合は光ピックアップの移動位置によりバネの伸びが大きくなるため、光ピックアップにかかるバネによる負荷の変動が顕著になり、ピックアップモータのトルクに影響を与え、送り動作を不安定にしたり、制御設定を複雑にしている。【０００６】
この発明は、上記問題点を解決するためになされたもので、光ピックアップの移動距離に対してバネによるラックとギア列の歯を当接させる付勢力の変動量を少なくすることを可能にする光ディスク装置を得ることを目的とする。
【発明の開示】
【０００７】
この発明に係る光ディスク装置は、一端をラックに回動可能に軸支したレバーを設け、レバーの他端またはベースシャーシのいずれか一方に、光ピックアップの移送方向に対して略垂直方向に長溝を設置し、他方に、長溝に回動かつ摺動可能に係合され、光ピックアップが移送される際に、長溝に沿って摺動するように支点部材を設け、ラックとギア列の歯を当接させる付勢力をラックに与えるように、レバーの上記他端を支点とし、レバーの上記一端を作用点としてレバーを回転させる方向の付勢力を常時与えるコイルバネを、ベースシャーシの所定位置とレバーの中間位置間に掛け渡したものである。
【０００８】
この発明によれば、光ピックアップの移動距離に対してバネによるラックへの付勢力の変動量を少なくして、ラックからピックアップ駆動用のモータまでのバックラッシュによるギアのガタを取ることができる。そのため、光ピックアップの移送位置の違いによる送り動作の不安定や制御設定を複雑にすることなく、光ピックアップの送り機構を構成することが可能となる。
【図面の簡単な説明】
【０００９】
【図１】この発明の実施の形態１による光ディスク装置の光ピックアップ送り機構の構成を示す平面図である。
【図２】この発明の実施の形態１に係る光ピックアップの各位置に対するバネによる付勢力の掛かり方を示す説明図である。
【図３】図２の状態における付勢力の変化を示す説明図である。
【図４】従来の光ピックアップ送り機構の構成を示す平面図である。
【発明を実施するための最良の形態】
【００１０】
以下、この発明の実施の形態を、図面を参照しながら詳細に説明する。
実施の形態１．
図１は、この発明の実施の形態１による光ディスク装置の光ピックアップ送り機構の構成を示す平面図である。図において、従来技術として説明した図４と同じ部分は同一符号を付し、その部分についての説明は原則として省略する。
図１は光ピックアップ２がディスク２０の内周位置２ａにある状態を表している。ベースシャーシ（紙面）には、光ピックアップ２の移送方向Ａに対して略垂直方向に延びる長溝１が設けられている。この長溝１と光ピックアップ２またはラック６の間にはレバー７が掛け渡されている。このレバー７は、一端７ａが光ピックアップ２またはラック６に回動可能に軸支され、他端７ｂが長溝１に回動かつ摺動可能に係合されている。一端８０ａがベースシャーシ（紙面）に、他端８０ｂがレバー７の中間位置に固定されたコイルバネ８０が掛け渡されている。このコイルバネ８０は、レバー７を介してラック６とギア列のバックラッシュによるガタをとるためのものである。【００１１】
次に、動作について説明する。
コイルバネ８０による付勢力の掛かり方について、光ピックアップ２がディスク２０の内周位置（演奏開始位置）２ａにある場合を図２（ａ）に、途中２ｂに在る場合を図２（ｂ）に、外周位置（演奏終了位置）２ｃにある場合を図２（ｃ）に示す。また、図２の各位置における状態を図３に示す。
光ピックアップ２が２ａから２ｃへ移送される場合、レバー７はその一端７ａに加わる移送方向の力により他端７ｂを支点として回転する。このとき、支点となる他端７ｂが長溝１に沿って光ピックアップ２の移送方向に対して略垂直な方向へ移動するため、作用点となる一端７ａのベースシャーシに対する動きは光ピックアップ２の移送方向と同じ直線運動となる。また、レバー７の中間位置８０ｂにはコイルバネ８０が接続されているため、コイルバネ８０により、他端７ｂを支点とし、一端７ａを作用点として回転させようとする付勢力Ｆが力点となる中間位置８０ｂに常時与えられている。そのため、作用点７ａと支点７ｂは同じ方向へ付勢される。作用点７ａに現れる力Ｆの移送方向への分力Ｆ１はラック６をピニオン４側に押し戻す付勢力となる。この付勢力Ｆ１によりラック６とピニオン４の歯が当接し、ギア間にガタが発生するのを抑える。【００１２】
レバー７の一端７ａの移動量はピックアップ２の移動量と同じであるが、レバー７の中間位置８０ｂの移動量は光ピックアップ２の移動量より小さい。そのため、中間位置８０ｂに接続されたコイルバネ８０の伸びの変動量は光ピックアップ２の移動量に対して少なくなる。したがって、光ピックアップ２にかかるコイルバネによる負荷の著しい変動を抑え、ピックアップ駆動用のモータのトルクへの影響を改善できため、送り動作を安定化させることができる。
また、上記動作において、レバー７は他端７ｂを支点として回転するため、コイルバネ８０の付勢方向も変化する。そのため、光ピックアップ２の移送方向への分力Ｆ１は光ピックアップ２の位置により変化し、コイルバネ８０の付勢方向に対してレバー７の支点７ｂから作用点７ａまでの距離Ｂ１と支点７ｂから力点８０ｂまでの距離Ｂ２の比も変化する。
ある１つのコイルバネを適用する場合、コイルバネを固定するレバー７の中間位置８０ｂを変えるか、ベースシャーシ上の固定位置８０ａを変えるかでバネの伸びの変動量を調整することができ、それによって光ピックアップ２の移送方向への分力Ｆ１、すなわちラック６に掛ける付勢力を調整できるため、光ピックアップ２にかかる負荷を考慮した設定が容易となる。【００１３】
以上のように、この実施の形態１によれば、ラック６を用いた光ピックアップ２の送り機構において、光ピックアップ２の移送方向に対して略垂直方向に延びる長溝１をベースシャーシに設け、一端７ａが光ピックアップ２またはラック６に回動可能に軸支され、他端７ｂが長溝１に回動かつ摺動可能に係合されるレバー７を、光ピックアップ２が移送される際に、長溝１に沿って摺動する他端７ｂを支点として回転させて一端７ａが光ピックアップ２の移送方向へ直線移動するように動作させ、ベースシャーシの所定位置８０ａとレバー７の中間位置８０ｂ間に掛け渡したコイルバネ８０により、ラック６とギア列の歯を当接させる付勢力をラック６に与えるように、レバー７の他端７ｂを支点とし、レバー７の一端７ａを作用点としてレバー７を回転させる方向の付勢力を常時中間位置８０ｂに与えるようにしている。したがって、光ピックアップの移動距離に対してバネによるラックへの付勢力の変動量を少なくして、ラックからピックアップ駆動用のモータまでのバックラッシュによるギアのガタを取ることができる。そのため、光ピックアップの移送位置の違いによる送り動作の不安定や制御設定を複雑にすることなく、光ピックアップの送り機構を構成することが可能となる。【００１４】
なお、上記例では、長溝は、直線的に延びる形状としているが、係合するレバーの他端の動きを円滑にするために湾曲した形状としてもよい。
また、上記例に代わって、ベースシャーシに支点部材として軸を設け、レバー７の他端側に軸に対して回動かつ摺動可能に係合する長溝を設け、この軸を支点としてレバーが回転するように構成しても同様な効果が期待できる。
【産業上利用の可能性】
【００１５】
以上のように、この発明に係る光ディスク装置は、光ピックアップの移動距離に対してバネの変動量を少なくしてラックとギア列の歯を当接させる付勢力を与えることを可能にするように構成したので、光ディスク装置、特に光ピックアップ送り機構などに用いるのに適している。
【図１】
2009031265.tif 000003
【図２】
2009031265.tif 000004
【図３】
2009031265.tif 000005
【図４】
2009031265.tif 000006
【国際調査報告】
2009031265.tif 000007
2009031265.tif 000008